【事件の表示】
　平成　９年特許願第２９３５５８号「コンクリート型枠連結具」拒絶査定に対する審判事件〔平成１１年　４月２７日出願公開、特開平１１−１１７５２６、請求項の数（２）〕について、次のとおり審決する。
【結　論】
　原査定を取り消す。
　本願の発明は、特許すべきものとする。
【理　由】
１．手続の経緯・本願発明 
　本願は、平成９年１０月９日に出願されたものであり、その請求項１、２に係る発明（以下、「本願発明１、２」という。）は、平成１３年１１月９日付けで補正された明細書及び出願当初の図面の記載からみて、その特許請求の範囲の請求項１、２に記載された事項により特定される次のとおりのものである。　
「【請求項１】　連結されるべきコンクリート型枠の互いに隣接する桟と桟を挟み込むとき相互の位置を規制するためのガイドピン部と前記桟と桟の相互間を固定するための対向する一対の挟持面を備えるクリップ部からなり、前記ガイドピン部と前記クリップ部が合成樹脂を素材として一体に構成されているコンクリート型枠連結具であって、
　前記クリップ部は、二つの横長の部分と一つの縦長の部分とからなるコの字形の上面と、前記上面に対応する下面と、外側面および内側面に囲まれたコの字形のブロックよりなり、前記内側面の先端よりの対向部に内側に突出した挟持面に形成される対の加圧部分と前記挟持面に続いて形成されているこのクリップ部を開く形の傾斜面とを備え、
　前記ガイドピン部は前記クリップ部の前記横長の部分の上面に一端が接続されて垂直に立ち上がるピンアームと前記ピンアームの他端に内向きで直角につながり前記上面の縦長の部分に平行なガイドピンを有するＬ字形部とを備え、
　前記ガイドピンを桟に設けられた穴に通し軸として前記クリップ部を結合方向に回転して桟に結合したときに前記桟が前記挟持面に接触しコの字形を開く力に抗する弾性によって前記対の加圧部により桟が締めつけられ、連結部を取り外す場合には、前記ガイドピンを軸として前記方向とは反対側に回転させて、取り外すように構成したことを特徴とするコンクリート型枠連結具。
【請求項２】　請求項１記載のコンクリート型枠連結具において、
　前記クリップ部の外側面に上面と下面に平行な溝を設けて構成したことを特徴とするコンクリート型枠連結具。」
　
２．引用例記載の発明 　　　　　　　　　　　
　これに対し、原査定の拒絶の理由に引用され、本願の出願前に頒布された実願昭４６−６７８９３号（実開昭４８−２５５３３号）のマイクロフイルム（以下、「引用例１」という。）には、下記（イ）ないし（ニ）の記載がある。
（イ）「コンクリート型枠の連接部を挟着する間隙を有する、鋼板から打ち抜いた挟着板の端部に、前記連接部への挿通部と挟着板への植立部とをＬ字形に形成した折曲杆を植立固着してなることを特徴とするコンクリート型枠の締結金具。」（実用新案登録請求の範囲）
（ロ）「１は鋼板をＵ字形に打ち抜いて形成した挟着板で、Ｕ字形によって形成される間隙２に鋼製型枠等のコンクリート型枠３の連接部４を挟着するものである。５は折曲杆で、丸棒鋼をＬ字形に折り曲げてコンクリート型枠３の連接部４に穿孔された透孔６に挿通する挿通部７と、上述の挟着板１に固着する植立部８とを形成し、挿通部７の先端９を適宜テーパーに形成するなどして透孔６への挿入が容易になるようにする。（２頁４行〜１３行）
（ハ）「なお、挟着板１の他端１２に間隙２の側に傾斜１３を設けておけば、コンクリート型枠３の連接部４への嵌込みが容易となる。」（３頁１行〜３行）
（ニ）「本考案は、上述のように鋼板をＵ字形に打ち抜いて挟着板１を形成したものであるから、丸棒鋼を折り曲げ形成したもののように、そのＵ字形の曲り部１４が疲労する虞れがなく、従って間隙２が拡開して弛緩する虞れもない。その為、従来のもののような手直しを行うことなく挟着性能を維持し、そのまま半永久的に繰返し使用することができるものである。」（３頁４行〜１１行）
　したがって、上記（イ）〜（ニ）の記載及び図面の記載からみて、引用例１には、「連結されるべきコンクリート型枠の互いに隣接する連接部４と連接部４を挟み込むとき相互の位置を規制するための挿通部７と前記連接部４と連接部４の相互間を固定するための対向する一対の挟持面を備える挟着板からなるコンクリート型枠締結金具であって、
　前記挟着板は、二つの横長の部分と一つのＵ字形の曲り部１４部分とからなるＵの字形の上面と、前記上面に対応する下面と、外側面および内側面に囲まれたＵの字形の部分よりなり、前記内側面の先端よりの対向部に内側の挟持面と前記挟持面に続いて形成されているこの挟着板を開く形の傾斜面とを一方の挟持面に備え、
　前記挿通部７は前記挟着板の前記横長の部分の上面に一端が接続されて垂直に立ち上がる植立部８と前記植立部８の他端に内向きで直角につながり挿通部７を有する折曲杆とを備え、
　前記挿通部７を連接部４に設けられた透孔６に通し軸として前記挟着板を結合方向に回転して連接部４に結合したときに前記連接部４が前記挟持面に接触しＵの字形を開く力に抗する弾性によって前記対の挟着板により連接部４が締めつけられ、連結部を取り外す場合には、前記挿通部７を軸として前記方向とは反対側に回転させて、取り外すように構成したことを特徴とするコンクリート型枠締結金具。」が記載されていると認められる。
　同じく、実願昭６３−１６２１９号（実開平１−１１９７３５号）のマイクロフイルム（以下、「引用例２」という。）には、下記（ホ）、（ヘ）の記載がある。
（ホ）「１．　長手弾性鋼材(2)の両側部(3),(4)をそれぞれ鋭角をなすように折り曲げ、変形Ｕ字形の弾性挟持部(6)を形成すると共に、両端部(7),(8)付近を外向きに折り曲げて両側部(3),(4)間に滑り案内部(9)を形成してなることを特徴とする木製型枠連結金具。」（実用新案登録請求の範囲）
（ヘ）「・・・隣り合う木製型枠10,10の枠部を形成している桟木11,12を当接させ、前記連結金具１の外向きに開いている滑り案内部９を前記両桟木11,12の側部端縁に当て、手で前記連結金具１を押し込むと、滑り案内部９が前記両桟木11,12の側壁を滑って、第３図のように取り付けられる。桟木11，12は連結金具１の弾性挟持部６によって挟みつけられ、コンクリート注入用型枠のコンクリート面をつくる木製型枠10,10の合板13,13も間隙のない正確な面を形成する。したがって、所定基準のコンクリート注入用型枠に組み立てられる。」（５頁２行〜１３行）
　したがって、上記の（ホ）（ヘ）の記載及び図面の記載からみて、引用例２には、「木製型枠の互いに隣接する桟木11,12を挟み込むとき、前記桟木11,12の両側部の相互間を固定するための対向する一対の挟持部を備える変形Ｕ字形の弾性挟持部(6)からなるコンクリート注入用木製型枠連結金具であって、
　前記変形Ｕ字形の弾性挟持部(6)は、変形Ｕ字形の鋼材よりなり、前記内側面の先端よりの対向部に内側に突出した挟持部に形成され、対の加圧部分と前記挟持部に続いて形成されているこの変形Ｕ字形の弾性挟持部(6)を開く形の両端部(7),(8)付近を外向きに折り曲げて両側部(3),(4)間に滑り案内部(9)とを備え、
　前記長手弾性鋼材(2)の両側部(3),(4)が前記挟持部に接触しＵの字形を開く力に抗する弾性によって前記対の加圧部により桟木11,12が締めつけられるコンクリート注入用木製型枠連結金具。」が記載されていると認められる。
　同じく、特開平８−２９１６２３号公報（以下、「引用例３」という。）には、下記（ト）ないし（リ）の記載がある。
（ト）「帯状に延びる所定長さの一方側挾持面を有する一方側挾持部と、
前記一方側挾持面の一端近傍に設けられた、前記一方側挾持面に垂直な中心軸を有する円柱状の挿入軸部と、
前記一方側挾持面の他端近傍の領域において前記一方側挾持面に所定間隔をおいて平行に対向する他方側挾持面を有するとともに、前記一方側挾持面の他端において前記一方側挾持部に連続し、前記挿入軸部に対して所定の間隔をおいて自由端が位置する他方側挾持部とを備えた、コンクリート成形用型枠材連結具。」（【特許請求の範囲】【請求項１】）
（チ）「少なくとも前記一方側挾持部および前記他方側挾持部が樹脂成形体からなる、請求項１記載のコンクリート成形用型枠材連結具。」（【特許請求の範囲】【請求項２】）
（リ）「上記のような構造を持つコンクリート成形用型枠材連結具１０を用いて互いに隣接する型枠材側板部５，６を連結固定するには、まず図９（ａ）に示す姿勢で、型枠材側板部５，６に設けた連結具取付穴２７に横方向から挿入軸部１３を挿入する。次に、把持部１６をハンマーで叩くなどして、一方側挟持部１１および他方側挟持部１２を挿入軸部１３の中心を軸として回転させ、図９（ｂ）および（ｃ）に示すように、一方側挾持部１１と他方側挾持部１２との間に型枠材側板部５，６を挟み込む。」（段落【０００４】）
　したがって、上記（ト）〜（リ）の記載及び図面の記載からみて、引用例３には、「連結されるべきコンクリート成形用型枠材の互いに隣接する型枠材側板部５，６と型枠材側板部５，６を挟み込むとき相互の位置を規制するための挿入軸部と前記型枠材側板部５，６と型枠材側板部５，６の相互間を固定するための対向する一対の挟持面を備える挾持部からなり、前記挿入軸部と前記挾持部が合成樹脂を素材として一体に構成されているコンクリート成形用型枠材連結具」が記載されていると認められる。
　
３．対比・判断
（３−１）本願発明１について
　本願発明１と引用例１に記載の発明を比較すると、引用例１に記載の発明の「連接部４」、「挿通部７」、「挟着板」、「コンクリート型枠締結金具」、「Ｕ字形の曲り部１４部分」、「Ｕの字形の部分」、「植立部８」、「折曲杆」、「透孔６」は、本願発明の「コンクリート型枠の互いに隣接する桟」、「ガイドピン部」、「クリップ部」、「コンクリート型枠連結具」、「一つの部分」、「外側面および内側面に囲まれたコの字形のブロック」、「ピンアーム」、「Ｌ字形部」、「桟に設けられた穴」に相当し、また引用例１記載の発明も、「前記クリップ部は、二つの横長の部分とからなるＵの字形の上面と、前記上面に対応する下面と、外側面および内側面に囲まれたＵの字形の部分よりなる」構成を有すると認められるから、両者は「連結されるべきコンクリート型枠の互いに隣接する桟と桟を挟み込むとき相互の位置を規制するためのガイドピン部と前記桟と桟の相互間を固定するための対向する一対の挟持面を備えるクリップ部からなるコンクリート型枠連結具であって、
　前記クリップ部は、二つの横長の部分と一つの部分とからなるコの字形の上面と、前記上面に対応する下面と、外側面および内側面に囲まれたコの字形の部分よりなり、前記内側面の先端よりの対向部に内側に形成される対の加圧部分と前記一方の挟持面に続いて形成されているこのクリップ部を開く形の傾斜面とを備え、
　連結部を取り外す場合には、前記ガイドピンを軸として前記方向とは反対側に回転させて、取り外すように構成したことを特徴とするコンクリート型枠連結具。」に係る点で一致し、次の点で相違している。
相違点
　ガイドピン部とクリップ部が一体に構成されているコンクリート型枠連結具が、本願発明１では「合成樹脂を素材として」おり、また、クリップ部は、本願発明１では「二つの横長の部分と一つの縦長の部分とからなるコの字形の上面と、前記上面に対応する下面と、外側面および内側面に囲まれたコの字形のブロックよりなり、前記内側面の先端よりの対向部に内側に突出した挟持面に形成される対の加圧部分と前記挟持面に続いて形成されているこのクリップ部を開く形の傾斜面とを備える」ように構成されており、そして、ガイドピンを有するＬ字形部が、本願発明１では、「クリップ部の上面の縦長の部分に平行」に構成されており、更に、ガイドピンを桟に設けられた穴に通し軸としてクリップ部を結合方向に回転して桟に結合したときに、本願発明１では「桟が挟持面に接触しコの字形を開く力に抗する弾性によって対の加圧部により桟が締めつけられ、」るように構成されているが、上記引用例１に記載のものは、そのような構成になっていない点。
相違点の検討
　上記相違点において、「合成樹脂を素材にした」ものは、引用例３に記載されてはおり、また、「内側面の先端よりの対向部に内側に突出した挟持面に形成される対の加圧部分」に係る点は引用例２に部分的に記載されているものの、特に、本願発明１における上記相違点に係る構成である「クリップ部は、二つの横長の部分と一つの縦長の部分とからなるコの字形の上面と、前記上面に対応する下面と、外側面および内側面に囲まれたコの字形のブロックよりなり、前記内側面の先端よりの対向部に内側に突出した挟持面に形成される対の加圧部分と前記挟持面に続いて形成されているこのクリップ部を開く形の傾斜面とを備え、」、「桟が挟持面に接触しコの字形を開く力に抗する弾性によって対の加圧部により桟が締めつけられ、」及び「クリップ部の上面の縦長の部分に平行なガイドピンを有するＬ字形部とを備える」ことを特徴とするコの字形のブロックとＬ字形部を主要な構成要件とすることにより、明細書の「【００２１】【発明の効果】・・・コの字形のクリップ部の内側面に、隣接する型枠の桟と桟を挟み込む挟持面を有し、クリップ部の上面のコの字を構成する横長の部分の一つの面に、垂直に一端がつながるピンアームと、ピンアームの他端に根元がつながり、前記コの字を構成する縦長の部分に平行なガイドピンを有するＬ字形部が、クリップ部と一体に形成されているので、型枠結合時に、型枠の面板とクリップ部の挟持面との距離が短く、型枠の結合が強固かつ確実でしかも結合された型枠の面板の開きが殆ど無くなるという効果がある。」、「【００２２】また、クリップ部のコの字形の両端部の内側面に、コの字形の開口部に向かって開く傾斜の斜面を、それぞれの挟持面に続いて形成しているので、型枠の桟にクリップ部の開口部を従来製品より滑らかに挿入することができる。
　・・・本発明の連結具を使用すれば、型枠への取付け及び取外し作業が、容易かつ短時間で行え、型枠および型枠連結具の損傷も少ないので、型枠連結作業の効率が向上するとともに、型枠と型枠連結具の寿命を延長させるという効果がある。」という特有の効果を奏するものである。
　したがって、本願発明１は、上記引用例１ないし３に記載の発明に基づいて、当業者が容易に発明できたものではない。
（３−２）本願発明２について
　本願発明２は本願発明１を引用する形式のものであり、本願発明１に、さらに「前記クリップ部の外側面に上面と下面に平行な溝を設けて構成した」点を付加したものである。請求項１記載の本願発明１のコンクリート型枠連結具が、先に検討したように、上記引用例１ないし３に記載の発明に基づいて当業者が容易になし得たものでない以上、請求項２記載の本願発明２も上記引用例１ないし３に記載の発明に基づいて当業者が容易になし得たとすることはできない。
　
４．むすび
　以上、本願については、原査定の拒絶理由を検討してもその理由によって拒絶すべきものとすることはできない。
　また、他に本願を拒絶すべき理由を発見しない。
　よって結論のとおり審決する。